(57)【要約】【課題】使用する人が刺激されずに安眠できる多数の通気孔を備えたベッド用通気性寝床板を、効率良く製作することが可能となる製作方法を提供する。【解決手段】木製平板の片面又は両面に平行な凹凸を波状に形成して縦横同幅の凹凸板を複数枚得る凹凸形成工程と、該複数の凹凸板を揃えて接着剤を介して各凹凸板の表裏をそれぞれ接着させて孔付きの積層材を得る積層工程と、該積層材を、孔に対して垂直に一定の厚さで平行にカットして複数枚の同幅の孔あき板材を得る板切り出し工程と、突き合わせて寝床板一枚分の面積となる枚数の前記孔つき板材を、平面上に並べて接着剤を介して接合し、一枚の通気性寝床板を得る接合工程と、該通気性寝床板の下面に補強材を固着する補強一体化工程とから成り、板面に多数の通気孔を穿孔工程なしに形成可能としたことを特徴とする。【選択図】  図１
2010004907.tif 000002
【特許請求の範囲】
【請求項１】
木製平板の片面又は両面に平行な凹凸を波状に形成して縦横同幅の凹凸板を複数枚得る凹凸形成工程と、
該複数の凹凸板を揃えて接着剤を介して各凹凸板の表裏をそれぞれ接着させて孔付きの積層材を得る積層工程と、
該積層材を、孔に対して垂直に一定の厚さで平行にカットして複数枚の同幅の孔あき板材を得る板切り出し工程と、
該孔つき板材を突き合わせてベッドの寝床板一枚分の面積となる枚数を一組とし、その孔つき板材を平面上に並べて接着剤を介して接合し、一枚の通気性寝床板を得る接合工程と、
該通気性寝床板の下面に補強材を固着する補強一体化工程と、
から成り、板面に多数の通気孔を穿孔工程なしに形成可能としたことを特徴とするベッド用通気性寝床板の製作方法。
【請求項２】
請求項１に記載のベッド用通気性寝床板の製作方法において、凹凸形成工程における木製平板の表面に平行な凹凸を波状に形成する方法が、厚い平板の表面を平行な溝状に削って凹凸を波状に形成することを特徴とするベッド用通気性寝床板の製作方法。
【請求項３】
請求項１に記載のベッド用通気性寝床板の製作方法において、凹凸形成工程における木製平板の表面に平行な凹凸を波状に形成する方法が、平板の表面に複数の細長板を平行に接着剤を介して張り合わせることで凹凸を波状に形成することを特徴とするベッド用通気性寝床板の製作方法。
【請求項４】
請求項１から３のうちいずれかに記載のベッド用通気性寝床板の製作方法において、凹凸形成工程において形成される凹凸形状のうち凹形状を、積層工程で複数の凹凸板を接着剤を介して表裏をそれぞれ接着させて孔付きの積層材を得るとき表裏に張り合わされる凹凸板の両側の凹形状が合体して一つの纏った図形になるように形成することを特徴とするベッド用通気性寝床板の製作方法。
【請求項５】
請求項１から４のうちいずれかに記載のベッド用通気性寝床板の製作方法で製作されたベッド用通気性寝床板であって、板面全体に多数形成される通気孔が、その上に敷く寝具を殆ど沈み込ませない程度の孔径としたことを特徴とするベッド用通気性寝床板。
【発明の詳細な説明】
【技術分野】
【０００１】
本発明は、ベッド用の木製の寝床板の製作方法と、その製作方法によって作られた通気性を備えたベッド用の寝床板に関する。
【背景技術】
【０００２】
ベッドの寝床に使用されている木製の寝床板として、従来、下記引用文献１に記載されているような棒状の木部材をスノコ状に平行で等間隔に組んで作られた寝床板が提供されており、このようなベッド用寝床板は通気性に優れている点で湿度の多い日本の気候に好適である。
【特許文献１】特開２００２−５８５６７号公報
【発明の開示】
【発明が解決しようとする課題】
【０００３】
しかし上記特許文献１の如きスノコ状の寝床板は、その上に敷かれる寝具がスノコ状に開いた通気用の隙間に挟まったり、またその隙間に沈み込んで生じる寝具の凸凹が使用する人の接触皮膚面を刺激し、時には安眠することができないなどの難点があった。
【０００４】
そこで、本発明は、ベッドの上に敷かれる寝具が通気用隙間に挟まることがなく、また、上に載った寝具がその隙間に沈み込んでできる凹凸により使用する人が刺激されることなく、充分に安眠できるベッド用の木製寝床板を提供するとともに、そのような通気性の木製寝床板を効率良く製作することが可能となり、併せてその通気用の孔に意匠的趣向を得ることが可能となる方法を提供することを目的とする。
【課題を解決するための手段】
【０００５】
以上の課題を解決するため、本発明の請求項１に記載のベッド用通気性寝床板の製作方法は、木製平板の片面又は両面に平行な凹凸を波状に形成して縦横同幅の凹凸板を複数枚得る凹凸形成工程と、該複数の凹凸板を揃えて接着剤を介して各凹凸板の表裏をそれぞれ接着させて孔付きの積層材を得る積層工程と、該積層材を、孔に対して垂直に一定の厚さで平行にカットして複数枚の同幅の孔あき板材を得る板切り出し工程と、該孔つき板材を突き合わせてベッドの寝床板一枚分の面積となる枚数を一組とし、その孔つき板材を平面上に並べて接着剤を介して接合し、一枚の通気性寝床板を得る接合工程と、該通気性寝床板の下面に補強材を固着する補強一体化工程と、から成り、板面に多数の通気孔を穿孔工程なしに形成可能としたことを特徴とする。
【０００６】
請求項２に記載の発明は、上記請求項１に記載のベッド用通気性寝床板の製作方法において、凹凸形成工程における木製平板の表面に平行な凹凸を波状に形成する方法が、厚い平板の表面を平行な溝状に削って凹凸を波状に形成することを特徴とする。
【０００７】
請求項３に記載の発明は、上記請求項１に記載のベッド用通気性寝床板の製作方法において、凹凸形成工程における木製平板の表面に平行な凹凸を波状に形成する方法が、平板の表面に複数の細長板を平行に接着剤を介して張り合わせることで凹凸を波状に形成することを特徴とする。
【０００８】
請求項４に記載の発明は、上記請求項１から３のうちいずれかに記載のベッド用通気性寝床板の製作方法において、凹凸形成工程において形成される凹凸形状のうち凹形状を、積層工程で複数の凹凸板を接着剤を介して表裏をそれぞれ接着させて孔付きの積層材を得るとき表裏に張り合わされる凹凸板の両側の凹形状が合体して一つの纏った図形になるように形成することを特徴とする。
【０００９】
請求項５に記載の発明は、上記請求項１から４のうちいずれかに記載のベッド用通気性寝床板の製作方法で製作されたベッド用通気性寝床板であって、板面全体に多数形成される通気孔が、その上に敷く寝具を殆ど沈み込ませない程度の孔径としたことを特徴とする。
【発明の効果】
【００１０】
本発明のベッド用通気性寝床板の製作方法における凹凸形成工程では木製平板の片面又は両面に平行な凹凸を波状に形成した縦横同幅の凹凸板が大量生産でき、その凹凸板を用いて次の積層工程で孔付きの積層材が得られ、この積層材を次の板切り出し工程孔でカットすると同幅の孔あき板材を大量に効率良く得ることが可能となる。
そして、前記孔つき板材は、寝床板一枚分の面積となる枚数を使用して、それらを突き合わせる接合工程によって一枚の通気性寝床板が、板面に多量の通気孔を穿孔することなしに効率良く得ることが可能となる。
さらに次の補強一体化工程で、通気性寝床板の下面に補強材を固着することで板面に多数の通気孔を有する一枚の通気性寝床板が一体化されて、人の体を載せても耐えられる程度に強固に形成される。
【００１１】
また、上記凹凸形成工程において、請求項２に記載の発明では、木製平板の表面に平行な凹凸を波状に形成する方法として、厚い平板の表面を平行な溝状に削って凹凸を波状に形成する方法を採用することで、加工に手間を要する凹凸板を短時間で効率良く製作することが可能となり、また請求項３に記載の発明では、平板の表面に複数の細長板を平行に接着剤を介して張り合わせることで凹凸板をより短時間に効率良く製作することが可能となる。
【００１２】
さらに、請求項４に記載の発明では、凹凸形成工程において形成される凹凸形状のうち凹形状を、張り合わされる凹凸板の対面の凹形状が合体して一つの纏った図形になるように形成することが可能となり、この形状は単に幾何学的に簡単な図柄以外にも多様で複雑な図柄が容易に形成できようになり、特に上記請求項３に記載の発明の細長板を用いる場合には、細長板の側面を任意形状に削ることで、図形や図柄の複雑な孔形状を多様な嗜好性に応えられるように製作することが可能となる。
【００１３】
そして、請求項５に記載の発明は、上記各ベッド用通気性寝床板の製作方法で製作されたベッド用通気性寝床板であり、このベッド用通気性寝床板の板面には、上に敷いた寝具が殆ど沈み込まない通気孔が板面全体に多数形成され、その上に敷いた寝具に凹凸が殆ど生じることがないので、使用する人は凹凸による刺激を殆ど受けずに安眠することができるようになる。
そして、ベッド用通気性寝床板の板面に全体に多数形成された通気孔からは上下の空気の流れができて、使用者の身体から発散される水分を吸収した寝具がその空気の流れで程好く乾燥されて爽やかで快適な睡眠を得ることが可能となる。
【発明を実施するための最良の形態】
【００１４】
次に本発明を実施するための最良の形態を説明する。
まず、本発明のベッド用通気性寝床板の製作方法について説明する。
本発明の製作方法は、図１に示すように、凹凸形成工程、積層工程、板切り出し工程、接合工程及び補強一体化工程の各工程順に製作が行われ、ベッド用通気性寝床板が完成する。
この製作工程をさらに詳しく説明する。
【００１５】
本発明の上記凹凸形成工程では、図２の（イ）に示すように、厚さ２０ｍｍ、縦２ｍ、横１ｍの原材料の木製平板１の上面に、図２の（ロ）に示すように、２０ｍｍ置きに平行な凹凸を波状に形成して凹凸板２を多数製作する。
この凹凸は木製平板の片面の場合と両面の場合に設けることが可能であるが、以下片面の場合で説明する。
次の積層工程では、複数の前記凹凸板２を用いて、図２の（ハ）に示すように、それらを接着剤を介して表裏をそれぞれ接着させて孔付きの積層材３を得る。
この積層材３は、図２の（ニ）に示すように、次の板切り出し工程において、孔に対して垂直に一定の厚さで平行にカットして複数枚の同幅の孔あき板材４を得る。
図２の（ニ）には、切出だし途中の積層材３ａの手前に一枚の孔あき板材４が得られた様子を示している。
【００１６】
次に接合工程では、図２の（ホ）に示すように、枚数の前記孔つき板材４を、図３の（イ）に示すように、突き合わせて寝床板一枚分の面積となる枚数を用意する。この際、図３の（ロ）に示すように、端部通気孔９が形成できるように、端部材５を用意する。
そして、それらを平面上に並べて接着剤を介して接合し、一枚の通気性寝床板６を得る。
一枚分の面積が大きい場合には、図２の（ロ）に示すように、半分のサイズに分けて両方で一枚となる通気性寝床板６をしても良い。
【００１７】
さらに、補強一体化工程において、図２の（ロ）に示す通気性寝床板６の下面に、図５に示す補強材１４を固着する。
以上の製造工程で、ベッド用の通気性寝床板６が板面に多数の通気孔８を穿孔工程なしに形成される。
図３の（ロ）に示す通気性寝床板６の裏面に補強材１４を固着したことを示す図５は、図３の（ロ）に示す通気性寝床板６のＡ−Ａは縦方向の縦断側面図、Ｂ−Ｂは横方向の縦断側面図であり、前記通気性寝床板６の板面には多数の通気孔８が上下に貫通している。
【００１８】
以上の製作工程によって製作されたベッド用の木製の通気性寝床板６が板面には、多数の通気孔８がドリルや穿孔具などの孔を開ける機器での穿孔工程は一切なく、孔が凹凸板２の貼り合わせによって形成することが可能となる。
この通気孔８の形状は、図９に示すように、ハート形（図９の（イ）に示す）、菱形（図９の（ロ）に示す）、丸形（図９の（ハ）に示す）、三角形（図９の（ニ）に示す）など、各種の孔の形状が形成でき、より複雑なデザインも可能となる。
このような孔は、穿孔機具を用いて穿孔する方法では製作が困難であり、そのような穿孔機具では加工できない形状であっても本発明では形成可能となる。
【００１９】
上記ベッド用通気性寝床板の制作方法において、凹凸形成工程における木製平板１の上面に平行な凹凸を波状に形成する方法は各種可能でるが、その内、図２の（ロ）に示すように、厚い平板１の上面を溝切りを行って凹凸を凹溝７を形成した波状に形成する方法と、図４の（イ）に示すように、平板１の上面に複数の細長板１０を平行に接着剤を介して張り合わせることで、図４の（ロ）に示すように、凹溝１３を形成した波状の凹凸に形成する方法とが可能となる。
【００２０】
次に上記ベッド用通気性寝床板の制作方法で製作されたベッド用通気性寝床板については、多数形成される通気孔８がその上に敷く寝具を殆ど沈み込ませない程度の孔径にすると良い。
このベッド用通気性寝床板６を使用したベッドについては、図６に示すように、床面と通気性寝床板６との間には空気が入るベッドで使用する。
ベッドの構造は、通気性寝床板６を外した状態を示す図７で説明すると、長方形に組まれた横支持板１６と外面支持板１７とがその下の脚部１８で支持され、頭部側には衝立部１９が設けられ横支持板１６の下には前記脚部１８間に仕切り板２０が固定される。
そして、横支持板１６と外面支持板１７との間に縦支持板１５が架設される。
この横支持板１６、外面支持板１７及び縦支持板１５の上に、図８に示すように、ベッド用通気性寝床板６には前記縦支持板１５に前記補強材１４が交差しないように載置される。
【００２１】
そして、図８に示すように、空気はベッドの下から通気性床板６の通気孔８を通過して上面への流れ、高い通気性が得られる。
なお、脚部１８間の周囲が仕切り板２０で塞がれるタイプのベッドでは、仕切り板２０に通気孔を設け、通気性を確保することが必要である。
【図面の簡単な説明】
【００２２】
【図１】本発明の製作工程のフロー図。
【図２】本発明の製作工程順に得られた（イ）は平板、（ロ）は凹凸板、（ハ）は積層材、（ニ）は孔あき板材、（ホ）は２枚の孔あき板材を示す各斜視図である。
【図３】図２に示す工程の後の製作工程における（イ）は孔あき板材を接合する前の状態を示し、（ロ）は得られた通気性寝床板を示す各斜視図である。
【図４】別の方法による製作工程の（イ）は細長板と平板、（ロ）は（イ）で得られた凹凸板を示す各斜視図である。
【図５】図４の（ロ）における、Ａ−Ａは縦方向の縦断側面図、Ｂ−Ｂは横方向の縦断側面図である。
【図６】本発明の通気性寝床板を使用したベッドを示す斜視図である。
【図７】図６の通気性寝床板を外した状態の斜視図である。
【図８】図６におけるベッドの横方向の縦断側面図である。
【図９】通気性床板の（イ）はハート形、（ロ）は菱形、（ハ）は丸形、（ニ）は三角形を成す、各種の孔の形状を示す各平面図である。
【００２３】
１  平板
２  凹凸板
３  積層材
３ａ切出だし途中の積層材
４  孔あき板材
５  端部材
６  通気性寝床板
７  凹溝
８  通気孔
９  端部通気孔
１０  細長板
１１  平板
１２  凹凸板
１３  凹溝
１４  補強桟
１５  縦支持板
１６  横支持板
１７  外面支持板
１８  脚部
１９  衝立部
２０  仕切り板
【図１】
2010004907.tif 000003
【図２】
2010004907.tif 000004
【図３】
2010004907.tif 000005
【図４】
2010004907.tif 000006
【図５】
2010004907.tif 000007
【図６】
2010004907.tif 000008
【図７】
2010004907.tif 000009
【図８】
2010004907.tif 000010
【図９】
2010004907.tif 000011